(57)【要約】【課題】家人が宅内に入った後に、宅内にいる家人の持つ応答器を誤検出して電気錠を解錠してしまうのを防止した電気錠システムを提供する。【解決手段】電気錠システムは、個別の識別情報が予め登録された携帯型発信装置３と、通信エリア内の携帯型発信装置３との間で非接触通信を行うことによって携帯型発信装置３から識別情報を取得するリーダ装置２と、扉に設けた電気錠５を施錠又は解錠する電気錠駆動部１２を具備し、リーダ装置２の取得した識別情報が予め登録された識別情報に一致すると、電気錠駆動部１２により電気錠５を一定時間解錠させるとともに、上記一定時間が経過した時点で電気錠５を施錠し、且つ、施錠時より所定の保持時間が経過するまでの間施錠状態を保持する電気錠制御装置１とを備える。【選択図】図１
2006348667.tif 000002
【特許請求の範囲】
【請求項１】
個別の識別情報が予め登録された応答器と、通信エリア内の応答器との間で非接触通信を行うことによって当該応答器から識別情報を取得する非接触通信部を備えた質問器と、扉に設けた電気錠を施錠又は解錠する電気錠駆動部を具備し、質問器の取得した識別情報が予め登録された識別情報に一致すると、電気錠駆動部により電気錠を解錠状態にした後施錠し、施錠時より所定の保持時間が経過するまでの間施錠状態を保持する電気錠制御装置とを備えて成ることを特徴とする電気錠システム。
【請求項２】
前記応答器に、操作に応じて解錠信号を発生する解錠操作部と、前記非接触通信部に比べて通信距離の長い信号送信部とを設け、解錠操作部の操作に応じて自己の識別情報および解錠信号を信号送信部から送信させるとともに、前記質問器に、応答器の信号送信部から送信された識別情報および解錠信号を受信する信号受信部を設け、電気錠制御装置では、質問器の信号受信部が識別情報および解錠信号を受信した際に、受信した識別信号が予め登録された識別情報に一致すると、解錠信号に応じて電気錠駆動部により電気錠を解錠状態にした後施錠し、施錠時より所定の保持時間が経過するまでの間施錠状態を保持することを特徴とする請求項１記載の電気錠システム。
【発明の詳細な説明】
【技術分野】
【０００１】
本発明は、電気錠システムに関するものである。
【背景技術】
【０００２】
従来より一般住宅などにおいて特許文献１に示されるような電気錠システムが用いられている。この電気錠システムは、個別のＩＤコード情報が書き込まれた非接触ＩＤタグと、非接触ＩＤタグとの間で電磁誘導によりデータ通信を行うことによって非接触ＩＤタグからＩＤコード情報を読み取るリーダ装置と、玄関扉に設けた電気錠を施錠又は解錠する電気錠駆動部を具備し、リーダ装置の読み取ったＩＤコード情報が予め登録されているＩＤコード情報に一致すると電気錠駆動部により電気錠を施錠又は解錠させる電気錠制御装置とで構成されている。
【０００３】
この電気錠システムでは、外出していた家人が非接触ＩＤタグを持って建物の入口に近付き、リーダ装置の通信エリア内に入ると、リーダ装置と非接触ＩＤタグとの間で電磁誘導により非接触でデータ通信が行われ、リーダ装置が非接触ＩＤタグに書き込まれたＩＤコード情報を読み取って、電気錠制御装置に出力する。電気錠制御装置では、リーダ装置から入力されたＩＤコード情報と、予め登録されているＩＤコード情報とを照合し、リーダ装置から入力されたＩＤコード情報が登録されていれば、電気錠を一定時間解錠した後、施錠するので、電気錠が解錠されている間に家人が宅内に入ることができる。
【０００４】
ところで、この電気錠システムでは、リーダ装置から常時電波を発信して、通信エリア内に入った非接触ＩＤタグからの応答を受信待ちしているため、電力消費が大きいという問題があった。そこで、建物の入口付近に設定した検知エリア内で人の存否を検知する人体検知センサを設け、この人体検知センサが人体を検知していない場合はリーダ装置が電波の発信を停止し、人体検知センサが人体を検知すると、リーダ装置が電波を発信して、非接触ＩＤタグとの間で電磁誘導によりデータ通信を行うようにすることで、リーダ装置の電力消費を低減した電気錠システムが従来より提案されている。
【特許文献１】特開平１１−１６１７４７号公報
【発明の開示】
【発明が解決しようとする課題】
【０００５】
上述した後者の電気錠システムでは、リーダ装置と非接触ＩＤタグとの通信距離が短い場合、使用者はいちいち非接触ＩＤタグを取り出して、リーダ装置の読み取り部に非接触ＩＤタグを近付けねばならず、使い勝手が悪いという問題があった。そこで、リーダ装置の送信電力を大きくし、通信距離を伸ばすことによって、非接触ＩＤタグをリーダ装置の読み取り部に近付けることなく、リーダ装置と非接触ＩＤタグとの間の非接触通信を可能にすることが考えられるが、その場合は以下のような問題が発生する。
【０００６】
すなわち、帰宅時に非接触ＩＤタグを持った家人が宅内に入り、電気錠制御器が電気錠を施錠した後も、家人が玄関に留まっている間、つまりリーダ装置の通信エリア内にいる間はリーダ装置と非接触ＩＤタグとの間で非接触通信が可能である。したがって、この間に家人の後をついてきた不審者が玄関扉の前に立つと、人体検知センサが不審者を検知し、不審者の検知をトリガとしてリーダ装置が電波を発信する。この時、リーダ装置の通信エリア内に家人の持っている非接触ＩＤタグが存在するため、リーダ装置と家人の持つ非接触ＩＤタグとの間で非接触通信が行われてＩＤコード情報が読み取られ、電気錠制御装置が電気錠駆動部により電気錠を解錠させてしまう可能性があった。
【０００７】
本発明は上記問題点に鑑みて為されたものであり、その目的とするところは、家人が宅内に入った後に、宅内にいる家人の持つ応答器を誤検出して電気錠を解錠してしまうのを防止した電気錠システムを提供することにある。
【課題を解決するための手段】
【０００８】
上記目的を達成するために、請求項１の発明は、個別の識別情報が予め登録された応答器と、通信エリア内の応答器との間で非接触通信を行うことによって当該応答器から識別情報を取得する非接触通信部を備えた質問器と、扉に設けた電気錠を施錠又は解錠する電気錠駆動部を具備し、質問器の取得した識別情報が予め登録された識別情報に一致すると、電気錠駆動部により電気錠を解錠状態にした後施錠し、施錠時より所定の保持時間が経過するまでの間施錠状態を保持する電気錠制御装置とを備えて成ることを特徴とする。
【０００９】
この発明によれば、応答器を持った家人が宅内に入って、電気錠が施錠された後に、その家人が上記保持時間が経過するまでの間通信エリア内に留まっていたとしても、電気錠制御装置ではこの間に施錠状態を保持しているので、家人の持っている応答器から質問器が識別情報を取得したために、電気錠が解錠されてしまうのを防止できる。
【００１０】
請求項２の発明は、請求項１の発明において、応答器に、操作に応じて解錠信号を発生する解錠操作部と、非接触通信部に比べて通信距離の長い信号送信部とを設け、解錠操作部の操作に応じて自己の識別情報および解錠信号を信号送信部から送信させるとともに、質問器に、応答器の信号送信部から送信された識別情報および解錠信号を受信する信号受信部を設け、電気錠制御装置では、質問器の信号受信部が識別情報および解錠信号を受信した際に、受信した識別信号が予め登録された識別情報に一致すると、解錠信号に応じて電気錠駆動部により電気錠を解錠状態にした後施錠し、施錠時より所定の保持時間が経過するまでの間施錠状態を保持することを特徴とする。
【００１１】
この発明によれば、非接触通信部に比べて通信距離の長い信号送信部を応答器に設け、応答器の解錠操作部を操作することによって信号送信部から識別信号と解錠信号を送信させて、電気錠の解錠操作が行えるので、より遠くから電気錠を解錠させることができ、応答器を持った人物が、扉の前で電気錠が解錠するのを待つことなく、短時間で扉を通過して中に入ることができる。
【発明の効果】
【００１２】
請求項１の発明によれば、応答器を持った家人が宅内に入って、電気錠が施錠された後に、その家人が上記保持時間が経過するまでの間通信エリア内に留まっていたとしても、電気錠制御装置ではこの間に施錠状態を保持しているので、家人の持っている応答器から質問器が識別情報を取得したために、電気錠が解錠されてしまうのを防止できる。
【００１３】
請求項２の発明によれば、非接触通信部に比べて通信距離の長い信号送信部を応答器に設け、応答器の解錠操作部を操作することによって信号送信部から識別信号と解錠信号を送信させて、電気錠の解錠操作が行えるので、より遠くから電気錠を解錠させることができ、応答器を持った人物が、扉の前で電気錠が解錠するのを待つことなく、短時間で扉を通過して中に入ることができる。
【発明を実施するための最良の形態】
【００１４】
以下に本発明の実施の形態を図面に基づいて説明する。本実施形態の電気錠システムは扉、例えば住宅の玄関扉に設置された電気錠を施錠又は解錠するためのシステムであり、図１のブロック図に示すように、電気錠制御装置１と、リーダ装置２（質問器）と、携帯型発信装置３（応答器）と、接近検知装置４と、電気錠５とを主要な構成として備える。
【００１５】
電気錠制御装置１は、ＣＰＵ１０と、リーダ装置２および接近検知装置４との間でデータ通信を行うデータ送受信部１１と、ＣＰＵ１０から入力される制御信号に応じて玄関扉に設けた電気錠５を施錠又は解錠する電気錠駆動部１２とを備える。
【００１６】
リーダ装置２は、ＣＰＵ２０と、ＣＰＵ２０から入力された信号を変調、増幅し、コイルＬ１とコンデンサＣ１とで構成されるアンテナ２１ａを介して電磁誘導により送信するＬＦ帯送信ＩＣ２１と、アンテナ２２ａを介して特定小電力無線信号を受信する小電力受信モジュール２２（信号受信部）と、電気錠制御装置１との間でデータ通信を行うデータ送受信部２３と、ブザー部２４とを備える。
【００１７】
携帯型発信装置３は、ＣＰＵ３０と、コイルＬ２とコンデンサＣ２とで構成されるアンテナ３１ａを介して電磁誘導により信号を受信し、受信した信号を復調するＬＦ帯受信ＩＣ３１と、アンテナ３２ａを介して特定小電力無線信号を送信する小電力送信モジュール３２（信号送信部）と、送信信号を暗号化する暗号化処理部３３と、解錠操作を行うための操作ＳＷ３４（解錠操作部）と、内部回路に電源を供給する電池３５とを備える。また携帯型発信装置３には個別の識別情報が予め設定されており、図示しないメモリに保存されている。ここで、ＬＦ帯送信ＩＣ２１とＬＦ帯受信ＩＣ３１とで構成される非接触通信部に比べて、小電力受信モジュール２２および小電力送信モジュール３２の通信距離は長くなっており、非接触通信部の通信エリア外から小電力通信が行えるようになっている。
【００１８】
接近検知装置４は、宅外において電気錠５が設置された玄関扉に近付いてくる人物を検知するためのものであり、ＣＰＵ４０と、人感検出部４１と、電気錠制御装置１に信号を送信するデータ送信部４２とを備える。人感検出部４１は例えば人体から放射される熱線を検知することによって人の存否を検出する焦電センサからなり、宅外において玄関扉の近傍に設定された検知エリア内で人の存否を検出する。なお人感検出部４１の検知エリア内では、上述の非接触通信部（ＬＦ帯送信ＩＣ２１およびＬＦ帯受信ＩＣ３１からなる）により非接触通信が行えるようになっている。
【００１９】
本実施形態の電気錠システムは以上のような構成を有しており、この電気錠システムの動作について図２のフローチャートを参照して説明する。携帯型発信装置３を持った家人が接近検知装置４の検知エリア内に存在しない状態では、リーダ装置２のＣＰＵ２０はＬＦ帯送信ＩＣ２１から電波を送信させておらず、リーダ装置２は待機状態となる（Ｓ１）。また待機状態においては電気錠制御装置１により電気錠５が施錠されている。
【００２０】
この待機状態において、携帯型発信装置３を持った家人が接近検知装置４の検知エリア内に入ると、人感検出部４１が家人を検知し（Ｓ２）、ＣＰＵ４０が検出信号を生成して、データ送信部４２より検出信号を電気錠制御装置１に送信する。電気錠制御装置１ではデータ送受信部１１が接近検知装置４から送信された検出信号を受信すると、この検出信号をリーダ装置２へ転送しており、接近検知装置４の検出信号が電気錠制御装置１を介してリーダ装置２へ送信される（Ｓ３）。リーダ装置２では、データ送受信部２３が接近検知装置４から送信された検出信号を受信すると、ＣＰＵ２０が検出信号の受信をトリガとして起動信号を生成し、この起動信号をＬＦ帯送信ＩＣ２１が変調、増幅し、アンテナ２１ａを介してＬＦ帯の電波信号で送信する（Ｓ４）。家人の持つ携帯型発信装置３のＬＦ帯受信ＩＣ３１が起動信号を受信すると、ＣＰＵ３０は、メモリから自己の識別情報（ＩＤコード情報）を読み出し、暗号化処理部３３により暗号化させた後、小電力送信モジュール３２から送信させる（Ｓ５）。このときリーダ装置２では、小電力モジュール２２が暗号化された識別情報を受信し、受信した識別情報をＣＰＵ２０がデータ送受信部２３から電気錠制御装置１へ送信させる（Ｓ６）。電気錠制御装置１では、データ送受信部１１がリーダ装置２から送信された識別情報を受信すると、ＣＰＵ１０が、受信した識別情報を復号し、メモリに予め登録された識別情報と照合して、ＩＤ認証を行う（Ｓ７）。
【００２１】
ＩＤ認証の結果、リーダ装置２から送信された識別情報がメモリに登録された識別情報と一致すれば（認証ＯＫ）、ＣＰＵ１０は、電気錠駆動部１２により電気錠５を解錠させるとともに（Ｓ８）、内蔵するタイマ１３により所定の解錠時間の限時動作を開始させ、解錠時間の限時が終了するまでの間解錠状態を維持する（Ｓ９）。タイマ１３がタイムアップすると、ＣＰＵ１０は、電気錠駆動部１２により電気錠５を施錠状態とした後（Ｓ１０）、タイマ１３により所定の保持時間（例えば５秒から３０秒）の限時動作を開始させ、保持時間の限時が終了するまでの間施錠状態を維持し（Ｓ１１）、保持時間の限時を終了すると待機状態に戻る（Ｓ１２）。なお上記解錠時間は、人が扉を開けて中に入った後、その扉を閉めるまでに必要と予想される程度の短い時間に設定されている。また本実施形態では、解錠状態を一定時間保持した後に施錠しているが、ＣＰＵ１０が電気錠駆動部１２により電気錠５を解錠した後、扉の開閉を検知する開閉センサ（図示せず）により扉が閉じられるのを検知してから電気錠５を施錠するようにしても良い。
【００２２】
一方ＩＤ認証の結果、リーダ装置２から送信された識別情報がメモリに登録された識別情報と一致しなければ（認証ＮＧ）、ＣＰＵ１０はデータ送受信部１１からリーダ装置２へエラー信号を送信する。このとき、リーダ装置２ではデータ送受信部２３が電気錠制御装置１から送信されたエラー信号を受信し、ＣＰＵ２０がこのエラー信号に応じてブザー部２４を鳴動させることにより（Ｓ１３）、玄関扉の前にいる人物に対して認証に失敗したことを知らしめることができ、ブザー鳴動後Ｓ１の待機状態に戻る（Ｓ１４）。
【００２３】
上述のように本実施形態ではＩＤ認証に成功すると、電気錠制御装置１が電気錠５を所定の解錠時間解錠させるとともに、解錠時間が経過した時点で電気錠５を施錠し、且つ、施錠時より所定の保持時間が経過するまでの間施錠状態を保持しており、携帯型発信装置３を持った家人が宅内に入って、電気錠５が施錠された後に、上記保持時間が経過するまでの間その家人がリーダ装置２の通信エリア内に留まっていたとしても、電気錠制御装置１ではこの間に施錠状態を維持しているので、家人の持っている携帯型発信装置３からリーダ装置２が識別情報を読み取ったために、電気錠が解錠されてしまうのを防止でき、家人の後をついてきた不審者が宅内に進入するのを防止できる。
【００２４】
ところで、図２のフローチャートでは、リーダ装置２が、通信エリア内に入った携帯型発信装置３から識別情報を読み取って電気錠５を解錠させる場合の動作について説明を行ったが、携帯型発信装置３を持つ家人が自分で電気錠５を解錠させる場合の動作について図３のフローチャートに基づいて説明する。
【００２５】
携帯型発信装置３を持った家人が接近検知装置４の検知エリア内に存在しない状態では、リーダ装置２のＣＰＵ２０はＬＦ帯送信ＩＣ２１から電波を送信させておらず、リーダ装置２は待機状態となっている（Ｓ２０）。
【００２６】
この待機状態において、携帯型発信装置３を持った家人が、人感検出部４１の検知エリア内に入る前に、携帯型発信装置３の操作ＳＷ３４を押し操作すると、ＣＰＵ３０が、操作ＳＷ３４から入力される操作信号に基づいて、自己の識別情報と解錠信号を暗号化処理部３３によって暗号化させた後、小電力送信モジュール３２から送信させる（Ｓ２１）。このときリーダ装置２では、小電力モジュール２２が暗号化された識別情報および解錠信号を受信し、受信した識別情報および解錠信号をＣＰＵ２０がデータ送受信部２３から電気錠制御装置１へ送信させる（Ｓ２２）。電気錠制御装置１では、データ送受信部１１がリーダ装置２から送信された識別情報および解錠信号を受信すると、ＣＰＵ１０が、受信した識別情報および解錠信号を復号し、メモリに予め登録された識別情報と照合して、ＩＤ認証を行う（Ｓ２３）。
【００２７】
ＩＤ認証の結果、リーダ装置２から送信された識別情報がメモリに登録された識別情報と一致すれば（認証ＯＫ）、ＣＰＵ１０は、解錠信号に応じて電気錠駆動部１２により電気錠５を解錠させるとともに（Ｓ２４）、内蔵するタイマ１３により所定の解錠時間の限時動作を開始させ、解錠時間の限時が終了するまでの間解錠状態を維持する（Ｓ２５）。タイマ１３がタイムアップすると、ＣＰＵ１０は、電気錠駆動部１２により電気錠５を施錠状態とした後（Ｓ２６）、タイマ１３により所定の保持時間（例えば１分から５分）の限時動作を開始させ、保持時間の限時が終了するまでの間施錠状態を維持し（Ｓ２７）、保持時間の限時を終了するとＳ１の待機状態に戻る（Ｓ２８）。
【００２８】
一方、ＩＤ認証の結果、リーダ装置２から送信された識別情報がメモリに登録された識別情報と一致しなければ（認証ＮＧ）、ＣＰＵ１０はデータ送受信部１１からリーダ装置２へエラー信号を送信する。このとき、リーダ装置２ではデータ送受信部２３が電気錠制御装置１から送信されたエラー信号を受信し、ＣＰＵ２０がこのエラー信号に応じてブザー部２４を鳴動させることにより（Ｓ２９）、玄関扉の前にいる人物に対して認証に失敗したことを知らしめることができ、ブザー鳴動後Ｓ１の待機状態に戻る（Ｓ３０）。
【００２９】
上述のように電気錠制御装置１では、ＩＤ認証に成功すると、電気錠制御装置１が電気錠５を所定の解錠時間だけ解錠させた後に電気錠５を施錠し、さらに施錠時より所定の保持時間が経過するまでの間施錠状態を保持しており、携帯型発信装置３を持った家人が宅内に入って、電気錠５が施錠された後に、上記保持時間が経過するまでの間その家人がリーダ装置２の通信エリア内に留まっていたとしても、電気錠制御装置１ではこの間に施錠状態を維持しているので、家人の持っている携帯型発信装置３からリーダ装置２が識別情報を読み取ったために、電気錠が解錠されてしまうのを防止でき、家人の後をついてきた不審者が宅内に進入するのを防止できる。
【００３０】
しかも小電力送信モジュール３２の通信距離は、ＬＦ帯送信ＩＣ２１およびＬＦ帯受信ＩＣ３１からなる非接触通信部の通信距離よりも長いので、携帯型発信装置３の操作ＳＷ３４を操作することによって、より遠くから電気錠５を解錠することが可能になる。したがって、携帯型発信装置３を持った家人が玄関扉の前に到達するまでに電気錠５を解錠させておくことが可能になり、家人が玄関扉の前で電気錠５が解錠するのを待つ時間を短縮でき、玄関扉の前で待っている間に犯罪に巻き込まれるのを防止できる。なお家人が携帯型発信装置３を用いて自分で電気錠５を解錠する場合は、不審者が後をついて来ているために早く宅内に入ろうとしているといった状況も予想されるので、リーダ装置２が携帯型発信装置３から識別情報を読み取って解錠する場合に比べて、施錠後に電気錠５の施錠状態を維持する保持時間を長めに設定しており、不審者の侵入をより確実に防止することができる。
【００３１】
なお、本発明の精神と範囲に反することなしに、広範に異なる実施形態を構成することができることは明白なので、この発明は、特定の実施形態に制約されるものではない。
【図面の簡単な説明】
【００３２】
【図１】本実施形態の電気錠システムのシステム構成図である。
【図２】同上の動作を説明するフローチャートである。
【図３】同上の他の動作を説明するフローチャートである。
【符号の説明】
【００３３】
１  電気錠制御装置
２  リーダ装置
３  携帯型発信装置
４  接近検知装置
５  電気錠
１２  電気錠駆動部
【図１】
2006348667.tif 000003
【図２】
2006348667.tif 000004
【図３】
2006348667.tif 000005